(57)【要約】  【課題】  ダム工事現場など広い空間域を照らすに好適な投光機を提供する。  【解決手段】  適宜数の投光ライト１６，…を横方向に並べて投光ライト支持枠２に支持させ、該投光ライト支持枠２を機台１に、軸５を中心に回動自在に機台に支持させる。そして、機台１と投光ライト支持枠２との間には、前記投光ライト支持枠２との間には前記投光ライト支持枠２の前記軸５を中心とする回動を操作するシリンダ１１を介在させ、投光ライト支持枠２には該支持枠２を受支し、前記機台１上を転動する自在車輪７を設ける。【選択図】    図１
0003167443.tif 000002
【実用新案登録請求の範囲】
【請求項１】
適宜数の投光ライトを横方向に並べて投光ライト支持枠に支持させ、該投光ライト支持枠を、軸を中心に回動自在に機台に支持させ、該機台と前記投光ライト支持枠との間には、前記投光ライト支持枠の回動操作用のシリンダを設けた、投光機。
【請求項２】
機台と投光ライト支持枠との間には、投光ライト支持枠の下面に固定し、しかも、機台上を転動する自在車輪を介在させた請求項１記載の投光機。
【考案の詳細な説明】
【技術分野】
【０００１】
本考案は、屋外の工事現場で用いる投光機に関するものである。
【背景技術】
【０００２】
台車に伸縮自在に支柱を立設し、該支柱の上端に単一なライトを水平方向と垂直方向に回動調節自在に取付けた構造のものがある（例えば、特許文献１）。
【先行技術文献】
【特許文献】
【０００３】
【特許文献１】特開平９−１６１５００３号公報
【考案の概要】
【考案が解決しようとする課題】
【０００４】
前記従来構造のものは、台車を利用しているため、狭い現場での利用には好便であるが、ダム工事など広い現場を照らすには不適当で、単一なライトしか用いていないこともあって、場所の広さに見合った複数個のものを用意する必要があった。そして、広い場所を照らすに複数個の前記の投光機を用いるとしても、各投光機はそれぞれが別体のものであるため、照らす方向の調整を別個にしなければならないので、これを解消できる投光機が望まれていた。
【０００５】
本考案は、この要望に対処するもので、ダム工事現場など広い空間域を照らすに好適な投光機を提供することを目的とする。
【課題を解決するための手段】
【０００６】
適宜数の投光ライトを横方向に並べて投光ライト支持枠に支持させ、該投光ライト支持枠を、軸を中心に回動自在に機台に支持させ、該機台と前記投光ライト支持枠との間には、前記投光ライト支持枠の回動操作用のシリンダを設けたことを基本的手段とする。この基本的手段に機台と投光ライト支持枠との間には、投光ライト支持枠の下面に固定し、しかも、機台上を転動する自在車輪を介在させた点を付加することにより照射方向（方位角）の変更を尚一層円滑に行える投光機を提供できる。
【考案の効果】
【０００７】
本考案によれば、適宜数の投光ライトを横方向に並べて支持台に支持させたものであるから、該適宜数の投光ライトは、支持台の軸を中心に回動させることにより、該一つの回動操作で緩めて一方向から他方向へと変換でき、広い空間域の工事現場で好適な投光機を提供できる。しかも、支持台の回動は、シリンダの伸縮によって行うものであるから何等不都合なく行うことができ、実用的である。
【図面の簡単な説明】
【０００８】
【図１】投光機の背面図。
【図２】一部を省略して示した投光機の平面図。
【図３】一部を省略した投光機中央部の拡大縦断面図。
【図４】図１のｘ−ｘ線断面図。
【図５】投光機の正面図。
【図６】投光機の平面図。
【考案を実施するための形態】
【０００９】
図面は本考案に係る投光機の一実施形態を示し、本考案は、機台１と該機台１上に配した投光ライト支持枠２とで構成する
機台１は、Ｈ形鋼を構成素材として形成したもので、横長の機台主体１ａの両端部に、機台主体１ａに対して直交方向に配した走行台１ｂ，１ｂ´を、その長手方向の中間部を接続して設け、また、機台主体１ａの一方の走行台１ｂ側の、長手方向に沿う一側面には走行台１ｂ，１ｂ´と平行する機器支持台１ｃを突設して構成する。
【００１０】
前記投光ライト支持枠２は、機台１と同様にＨ形鋼を構成素材とするもので、機台１の前記主体１ａより長くした、横長の支持枠主体２ａの、長手方向の両端部に支柱２ｂ，２ｂ´を立設して構成したもので、この投光ライト支持枠２は、支持枠主体２ａの長手方向の中央に、縦方向に設けた組付け孔３を備え、該組付け孔３に、機台１の前記主体１ａの長手方向の中央の上面に立設した組付け軸５を挿通させるようにして機台１と組合わせてある。
【００１１】
組付け軸５（機台１に固定した）と投光ライト支持枠２の支持枠主体２ａ（機台１に対して自由な）間には組付け軸５に組付けた軸受材６を介在させ、投光ライト支持枠２は組付け軸５を中心にして円滑に回動するようにしてある。
【００１２】
そして、投光ライト支持枠２は、支持枠主体２ａの下面の、長手方向の両端部に固定した自在車輪７，７によって機台１上に受支されている。すなわち、支持枠主体２ａの下面両端部には前記組付け孔３と等距離にして自在車輪７，７を設け、前記組付け軸５を中心にして支持枠主体２ａ（投光ライト支持枠２）を回動（揺動）させたとき、自在車輪７が機台１の走行台１ｂ，１ｂ´上にあって転動するようにしてある。従って、組付け軸５と走行台１ｂ又は１ｂ´間の距離と組付け孔３と自在車輪７間の距離は略等しくしてあり、一方の自在車輪７と組付け孔３間の距離と、他方の自在車輪７と組付け孔３間の距離が相違するときは、走行台１ｂ，１ｂ´の位置をそれに対応させて変える必要がある。一方の走行台１ｂと組付け軸５間と、他方の走行台１ｂ´と組付け軸５間のそれぞれの距離が相違する場合は、前記とは逆に自在車輪７，７の位置関係をそれに合わせなければならない。
【００１３】
なお、実施形態の場合の組付け軸５は、投光ライト支持枠２の回動軸として機能させ、該支持枠２の荷重を受ける構成となっていないが、符号９で示した補強板を支持枠２側ではなく、組付け軸５側に溶接手段などによって固定することにより、該補強板９を備えた（この場合は受支板９というべきか）組付け軸５で投光ライト支持枠２の荷重を受ける支持材として機能させることができる。
【００１４】
そして、前記機台１の機器支持台１ｃの先端部側面に、上（先）端が投光ライト支持枠２の前記支持枠主体２ａと同じ高さに位置する支持板８を溶接して突設し、この支持板８の上部片面には支承枠８ａを突設し、この支承枠８ａと、前記支持枠主体２ａの側面の適所に突設した支承片１０との間にシリンダ１１を介在させて設けてある。
【００１５】
すなわち、シリンダ１１は、筒体１１ａ側を機器支持台１ｃ側の支承枠８ａに、ロッド１１ｂ側を支持枠主体２ａの支承枠１０にそれぞれ回動自在に枢着したものである。
【００１６】
このシリンダ１１（油圧式、エア式、電動式いずれでも不都合はない）を伸縮させると、機台１側が固定側となって、投光ライト支持枠２側は、ロッド１１ｂの伸展、縮少に従って組付け軸５を中心に、時計廻り又は反時計廻り方向に回動し、該支持枠２に横方向に並べた投光ライト（ライトと該ライトを組付けたライト本体で構成）１６，…は、方向（方位角）を変え、所望の方向に向いて光を照射する。
【００１７】
なお、実施形態は、投光ライト支持枠２の前記支柱２ｂ，２ｂ´に、上下一対の横材（管体で構成）１７ａ，１７ｂと該横材１７ａ，１７ｂ間に架設した連結板１７ｃとで成る取付け枠１７を俯仰自在に支持させ、該取付け枠１７の上下の横材１７ａ，１７ｂを支持筒１８部において投光ライト１６，…を前記取付け枠１７に組付ける一方、中間部を前記横材１７ａ，１７ｂを内側に嵌め込んで該横材１７ａ，１７ｂに組合わせたＵ字ボルト１９を、横材１７ａ，１７ｂ間に渡した挟持板２０に挿通させ、挟持板２０より突出するボルト先端にナット２１を螺合、締付けることにより、取付け枠１７を支持枠２に支持させたものである。
【００１８】
図示、２３は、前記支柱２ｂ，２ｂ´の上端部において、投光ライト１６，…を並設した前記取付け枠１７の俯仰動作を操作するためのシリンダ、２２はライトの点灯、シリンダの伸縮等各種制御盤を示す。
【符号の説明】
【００１９】
１      機台
２      投光ライト支持枠
５      組付け軸
７      自在車輪
１６    投光ライト
【図１】
0003167443.tif 000003
【図２】
0003167443.tif 000004
【図３】
0003167443.tif 000005
【図４】
0003167443.tif 000006
【図５】
0003167443.tif 000007
【図６】
0003167443.tif 000008